(57)【要約】      （修正有）【課題】プレゼンテーションの注釈付きの写しを生成するための方法、情報処理システムおよびコンピュータ・プログラムを提供する。【解決手段】プレゼンテーションの注釈付きの写しを生成する方法は、前記プレゼンテーションのセグメントに対応するタイム・スタンプ付きの注釈を含む、モバイル装置上に記録された前記注釈付きストリームを受取るステップと、前記プレゼンテーションの、タイム・スタンプ付きの写しを受取るステップと、前記プレゼンテーションの前記注釈付きの写しを生成するために、前記注釈付きストリームと前記写しとの両方からのタイム・スタンプをマッチングさせることによって前記注釈付きストリームを前記プレゼンテーションの写しに合体するステップとを含む。【選択図】図２
2008282397.tif 000002
【特許請求の範囲】
【請求項１】
プレゼンテーションの注釈付きの写しを生成するための方法であって、
前記プレゼンテーションのセグメントに対応するタイム・スタンプ付きの注釈を含む注釈付きストリームであってモバイル装置上に記録されたものを受取るステップと、
前記プレゼンテーションの、タイム・スタンプ付きの写しを受取るステップと、
前記プレゼンテーションの前記注釈付きの写しを生成するために、前記注釈付きストリームと前記写しとの両方からのタイム・スタンプをマッチングさせることによって前記注釈付きストリームを前記プレゼンテーションの写しに合体するステップと
を含む前記方法。
【請求項２】
前記プレゼンテーションが、ライブのプレゼンテーション、放送されるプレゼンテーション、ポッドキャスト、ウエブキャスト、ビデオ会議、クラスの講義、オーディオ・ブックおよびビジュアルなソフトウエアのプレゼンテーションよりなるグループから選択された少なくとも一つである、請求項１に記載の方法。
【請求項３】
前記合体するステップは、前記注釈がその対応する前記プレゼンテーションの前記セグメントの近くに表示されるように前記注釈付きのストリームを前記写しの上にかぶせるステップを更に含む請求項１に記載の方法。
【請求項４】
前記合体するステップが、前記写しの前記対応するセグメントに注釈をハイパーリンクするステップを含む、請求項１に記載の方法。
【請求項５】
前記プレゼンテーションの前記写しを受取るステップが、ディジタルのメディア・ストリームを受取るステップを含む、請求項１に記載の方法。
【請求項６】
前記ディジタル・メディア・ストリームを受取るステップが、ダウンロードのための前記写しの電子的なフォーマットの位置を示すＵＲＬ（ユニフォーム・リソース・ロケータ）を受取るステップを含む、請求項５に記載の方法。
【請求項７】
前記ＵＲＬを受取るステップが、前記ＵＲＬの付いた電子メールの転送を受取るステップを含む、請求項６に記載の方法。
【請求項８】
前記電子メールの転送を受取るステップが、電子メール・アドレスをユーザーが提供するときに自動的に生じる、請求項７に記載の方法。
【請求項９】
前記電子メール・アドレスを提供するステップが、前記モバイル装置に添付された前記モバイル装置のユーザーの前記電子メール・アドレスを含むＲＦＩＤタグを通じてリーダーに前記電子メール・アドレスを転送するステップを含む、請求項８に記載の方法。
【請求項１０】
前記注釈付きの写しを表示するステップを更に含む、請求項１に記載の方法。
【請求項１１】
前記注釈付きストリームに含まれるコマンドを実行するステップを更に含む、請求項１に記載の方法。
【請求項１２】
モバイル装置上でプレゼンテーションに属する注釈付きストリームを記録する方法であって、
前記注釈付きストリームに特有の識別子を割当てるステップと、
前記モバイル装置のユーザーにより入れられる注釈を含み、各々の前記注釈が前記プレゼンテーションの少なくとも１個のセグメントに関連している前記注釈である前記注釈付きストリームを生成するステップと、
前記注釈付きストリームを格納するステップと
を含む前記方法。
【請求項１３】
前記モバイル装置上で前記プレゼンテーションの少なくとも一部を受取るステップを更に含む、請求項１２に記載の方法。
【請求項１４】
前記注釈が、テキスト入力、音声入力、アートワーク、ジェスチャー、写真入力、および状況検知センサー入力よりなるグループから選択された、請求項１２に記載の方法。
【請求項１５】
前記生成するステップが、現在の時刻の前の特定の期間を開始する前記プレゼンテーションのセグメントに属する少なくとも一つの前記注釈を特定するステップを更に含む、請求項１２に記載の方法。
【請求項１６】
前記モバイル装置上で前記プレゼンテーションの写しを受取るステップを更に含む、請求項１２に記載の方法。
【請求項１７】
注釈付きの写しを生成するために前記プレゼンテーションの前記写し
に前記注釈付きストリームを合体するように構成された装置に前記注釈付きストリームを転送するステップを更に含む、請求項１２に記載の方法。
【請求項１８】
プレゼンテーションの注釈付きの写しを生成するための情報処理システムであって、
前記プレゼンテーションの、タイム・スタンプを付けられた写しを受取るように構成され、かつ前記プレゼンテーションのセグメントに対応する、タイム・スタンプを付けられた、注釈を含む注釈付きストリームを受取るように構成された入出力サブシステムと、
前記注釈付きの写しを生成するために、前記注釈付きストリームと前記プレゼンテーションの前記写しとの両方からのタイム・スタンプをマッチングさせることによって前記注釈付きストリームを前記写しに合体させるように構成されたプロセッサと
を含む前記情報処理システム。
【請求項１９】
前記プレゼンテーションの前記写しの位置を含むＵＲＬ（ユニフォーム・リソース・ロケータ）を受取るためのＲＦＩＤタグ・リーダーを更に含む、請求項１８に記載の情報処理システム。
【請求項２０】
プレゼンテーションの注釈付きの写しを生成するためのコンピュータ・プログラムであって、
前記プレゼンテーションのタイム・スタンプ付きの写しを受取るステップと、
前記プレゼンテーションのセグメントに対応する、タイム・スタンプを付けられた、注釈を含む注釈付きストリームを受取るステップと、
前記注釈付きの写しを生成するために、前記注釈付きストリームと前記プレゼンテーションの前記写しとの両方からのタイム・スタンプをマッチングさせることによって前記注釈付きストリームを前記写しに合体させるステップとを
コンピュータに実行させる前記コンピュータ・プログラム。
【発明の詳細な説明】
【技術分野】
【０００１】
本発明は、注釈付けツールの分野に関し、特にモバイル装置を用いたオーディオもしくはビデオまたはその両方のプレゼンテーション（講演）の注釈付き記録および写し(transcript、転写物)を生成する分野に関する。
【背景技術】
【０００２】
人はしばしば自分が参加した会議の写し（転写物）や記録を欲しいことがある。また時間がかち合ってその会議に参加し損ねた人々のためにその会議のオーディオもしくはビデオまたはその両方を幾つかの機構が日常的に記録する。多くの場所で、話し手を自動的に追跡することができるカメラを付けて自動的な態様で記録が行われる。同様に、写し（転写物）は人が写すあるいは転写すること(transcription) によって、もしくは音声認識ソフトウエアを自動的に用いることによって生成される。これらの写しおよび記録は後でユーザーが利用することのできるようにしてもよい。ある会議に参加しなかった人がその会議の記録を最初から最後まで見たいかもしれないが、その生のプレゼンテーションに実際に参加した人々はその会議のうちの興味のあった部分に触れてみたいだけかもしれない。現在、人々がこれを行う簡単な方法はない。人はプレゼンテーションもしくはその写しのビデオもしくはオーディオまたはその両方のコピーを得ることができ、高速送りもしくは高速戻しまたはその両方、ページ・アップもしくはページ・ダウンまたはその両方、および他の制御を用いて興味のあった部分を得るべくサーチすることができる。但し、これは特に非常に長いプレゼンテーションの場合、非常に面倒であり得る。
【０００３】
生のプレゼンテーションに参加している人々は、現在参加しているプレゼンテーションに関係する注釈を付けたいかもしれない。例えば、そのような人々は、そのプレゼンテーション中は追従する（理解する）のが難しかった記録もしくは写しの部分、フォローアップもしくは派遣を必要とする部分、他の従業員に転送するのに必要な部分などへの迅速なアクセスを得たかったかもしれない。記録されたプレゼンテーションもしくは写しをレビューしている人々はそれらの個人的な注釈とともに、その記録されたプレゼンテーションもしくは写しに更に注釈を付けたいかもしれない。現在、このことを行える既知の方法はない。
【発明の開示】
【発明が解決しようとする課題】
【０００４】
前述の従来技術の欠点を克服する方法およびシステムの必要性がある。
【課題を解決するための手段】
【０００５】
簡単に言うと、本発明の実施例によれば、プレゼンテーションの注釈付きの写しを生成する方法は、モバイル装置上に記録された注釈付きストリームであって前記プレゼンテーションのセグメントに対応するタイム・スタンプ付きの注釈を含む前記注釈付きストリームを受取るステップと、前記プレゼンテーションの写しであってタイム・スタンプを付けられたものを受取るステップと、前記プレゼンテーションの注釈付きの写しを生成するために前記注釈付きストリームと前記写しとの両方からのタイム・スタンプ同士をマッチング（合致）させることによって前記注釈付きストリームに前記写しを合体させるステップとを含む。
【０００６】
本発明の実施例によれば、モバイル装置上でのプレゼンテーションに関係する注釈付きストリームを記録するための方法は、以下のステップもしくは動作を含む。すなわち、前記注釈付きストリームに特有の識別子を割当てるステップと、モバイル装置のユーザーが入力する注釈であって、各注釈が前記プレゼンテーションの少なくとも１個のセグメントに関連する注釈を含む注釈付きストリームを生成するステップと、前記プレゼンテーション中に前記注釈付きストリームを格納するステップとを含む。この方法は前記モバイル装置上のプレゼンテーションの少なくとも一部を受取るステップを含んでもよい。前記注釈は、テキスト入力、音声入力、ビデオ、アートワーク、ジェスチャー、写真入力、および状況検知センサー入力（シチュエーショナル・アウェアネス・センサ入力）から選択されてもよい。更に、前記注釈付きストリームを生成するために、前記注釈付きストリームに前記プレゼンテーションの写しを合体するように構成された装置に前記注釈付きストリームが転送されてもよい。
【０００７】
本発明の実施例によれば、プレゼンテーションの注釈付きの写しを生成するための情報処理システムは、以下を含む。すなわち、そのプレゼンテーションの写しを受取るように構成され、その写しにはタイム・スタンプが付いており、また注釈がそのプレゼンテーションのセグメントに対応する注釈である注釈付きストリームを受取るように構成され、その注釈付きストリームにもタイム・スタンプが付いた入出力サブシステムと、その注釈付きの写しを生成するために、前記プレゼンテーションの写しとの前記注釈付きストリームの合体をその両方からのタイム・スタンプのマッチング（合致）によって行うように構成されたプロセッサとを含む。このシステムは、プレゼンテーションの写しの位置のＵＲＬ（ユニフォーム・リソース・ロケータ）を受取るためのＲＦＩＤリーダー４３０を含んでもよい。
【０００８】
本発明の他の目的によれば、プレゼンテーションの注釈付きの写しを生成するためのコンピュータ・プログラムが、前述の方法ステップを実行することができるような命令を含む。
【０００９】
前述およびその他の実施例の目的、側面および利点を説明するために、本発明の実施例の以下の詳細な説明および図面を用いる。
【発明を実施するための最良の形態】
【００１０】
モバイル装置上のオーディオもしくはビデオまたはその両方のプレゼンテーションの収集および注釈付けを、そのプレゼンテーションとは独立に促進するシステムおよび方法を説明する。この方法ではユーザーがモバイル装置上のプレゼンテーションに関係するコンテンツ（内容）をマークし、注釈付けすることができ、それからその注釈付けをそのプレゼンテーションの一部と合体して、そのプレゼンテーションの注釈付きの写しを生成することができる。ユーザーは生のプレゼンテーションに参加していてもよいし、代わりにそのプレゼンテーションの全部もしくは一部の写しを受取っても良い。
【００１１】
プレゼンテーションもしくはその写しが多くの形態をとり得る。プレゼンテーションは場を話し手と聞き手が共有する実際のライブのプレゼンテーションであっても、ウエブキャストであっても、あるいはポッドキャストのようなレコーディングでもテープ上のオーディオ・ブックであってさえもよい。すなわち、プレゼンテーションが、ライブのプレゼンテーション、放送されるプレゼンテーション、ポッドキャスト、ウエブキャスト、ビデオ会議、クラスの講義、オーディオ・ブックおよびビジュアルなソフトウエアのプレゼンテーションよりなるグループから選択された少なくとも一つであってよい。写しは、文字ストリームもしくはテキスト・ドキュメント、編集されたビデオ（映像）もしくはサウンド（音）またはその両方の記録、または関係すると考えられる実際のプレゼンテーションの側面を捉えた三次元（３Ｄ）アニメーションといったような、そのプレゼンテーションのリアルタイム（実時間）でもしくはオフラインで発生される処理済みのプレゼンテーションである。この説明の目的上、「写し（トランスクリプト）」および「記録（レコーディング）」という用語を同じことを意味するものとして使用する。プレゼンテーションに属するマーキングおよび注釈を生成することができるモバイル装置をユーザーが持ち運んでいると仮定する。モバイル装置上で、おそらくは別個のシステム上で能動化（イネーブル）されると、ユーザーはその記録されたプレゼンテーションもしくはその写しにその注釈を合体させるためのソフトウエアへのアクセスを必要とするであろう。
【００１２】
図面の詳細に触れると、特に図１では本発明の実施例と一致するプレゼンテーション・シナリオ１００の単純化したイラストを示す。本発明による実施例が有利に使用されそうなもっとも可能性の高いシナリオは、ユーザー（編集者）１０１がライブのプレゼンテーション１１０にローカルにもしくは放送で参加しており、かつラップトップ、携帯電話もしくはＰＤＡ（パーソナル・ビジネス・アシスタント）のようなモバイル装置１２０をその編集者１０１が担持している場合である。編集者１０１はライブのプレゼンテーション１１０に関係するメモ (notations) を入れるため、モバイル装置１２０を使用する。注釈(annotations)を付けるために、基となるプレゼンテーション１１０のコンテンツを編集者１０１は必要としないことが重要である。
【００１３】
注釈を生成するために、モバイル装置１２０には注釈付けソフトウエア１２５が設けられている。注釈を生成するために、モバイル装置１２０には注釈付けソフトウエア１２５が装備されている。注釈を受け容れて表示することができるように利用可能な種々のソフトウエア・ツールがある。例えば、ブラック・アイス (Black Ice) からの 注釈ＳＤＫ／アクティブＸプラグイン (Annotation SDK/ActiveX Plug-In) が注釈、図面,テキスト、グラフィックス、イメージ、署名、スタンプおよびドキュメントへの粘着性のノートを付加するのに、使いやすいツールを提供する。「Notateit（登録商標）Annotation Software」は他のそのようなツールである。
【００１４】
話し手および編集者１０１がともに同じ会場にいる場合のライブの（生の）プレゼンテーションではなく、そのプレゼンテーション１１０が環境装置１６０もしくは他の放送システム上で表示されてもよい。他のシナリオは、その記録された、そして恐らくは編集されたプレゼンテーション１１０の一部もしくは全てのメディア・ストリーム１５５を編集者１０１が後で受取るかダウンロードし、それからそのメディア・ストリーム１５５に関連する注釈を付けるという場合である。これら２つのシナリオに対し、編集者１０１は、注釈を付けてから、ストリーム化されたプレゼンテーション１５０を聞くか見るかあるいはその両方をするために単にその編集者のモバイル装置１２０上でアプリケーション１２５を活性化しなければならないだけである。プレゼンテーション１５０が進むにつれ、編集者１０１はモバイル装置１２０上に注釈を付ける。ストリーム化されたプレゼンテーション１５０は、編集者１０１が注釈を付ける間、モバイル装置１２０上で再生（プレイ）状態にしていなければならないということはない。これは本発明の効果の一つを再度強調する。すなわち、注釈を付ける前にその強調しているコンテンツを編集者が獲得する必要がない。その注釈はプレゼンテーション１５０の或る部分に対応し、そのプレゼンテーション１５０のこれらの部分にそれらのタイム・スタンプを付することによって関係付けられる。そのプレゼンテーション１５０の部分もしくはセグメントはそのプレゼンテーション１５０中の時間のインスタンスを参照してもよいし、あるいはそれが時間の範囲もしくはプレゼンテーション１５０全体を包括してもよい。
【００１５】
十分な入力性能を備える任意のモバイル装置、例えばラップトップ、携帯電話、もしくはＰＤＡ（パーソナル・ディジタル・アシスタント）が機能する。メディア・ストリーム１５５がモバイル装置１２０上で再生するなら、ディスプレイ・スクリーンおよびサウンド・カードが必要とされるだけである。ユーザーは、スタイラス、カーソル、ボタン、マウス、トラックボール、キーボード、カメラ、音声入力、もしくは或る場合には音声認識ソフトウエアと結合された音声を用いてこれらのマーキングを生じてもよい。このように、テキスト、音声、アートワーク、グラフィカル図形もしくはそのイメージ、またはそれらの組み合わせであってもよい。
【００１６】
もしライブの（生の）もしくは記録されたプレゼンテーション、またはその写しが、モバイル装置１２０上で再生されるメディア・ストリーム１５５として受取られると、そのモバイル装置１２０上のメディア・プレイヤは注釈を生成するための注釈付けソフトウエア１２５というアプリケーションでもって統合される必要があろう。もしディジタルのメディア・ストリーム１５５が環境ディスプレイ１６０など注釈を生成するための装置以外の装置上で再生されるなら、注釈を発生するためのアプリケーションである注釈付けソフトウエア１２５とディスプレイ１６０を制御するコンピュータ・システムとの間に相互作用があるべきである。その２つのアプリケーションの統合もしくは相互作用はメディア・ストリーム１５５への注釈付けシーケンスを同期させるのに使用される。これはクロックを同期させることを含む。この例では、同期がメディア・ストリーム１５５および注釈付けシーケンスの両方からのタイム・スタンプを揃えること（lining up ）を云う。  
【００１７】
もしプレゼンテーションがライブのローカルのプレゼンテーション１１０であるなら、注釈付けソフトウエア１２５は前述の同期のためにモバイル装置１２０上のローカル・タイムを使用する。モバイル装置１２０のローカル・タイムはその注釈付けがメディア・ストリーム１５５と十分に同期するために正確でなければならない。その後、プレゼンテーションのメディア・ストリーム１５５が利用できるようになった後、編集者１０１のマーキングおよび注釈がプレゼンテーション１１０のメディア・ストリーム１５５と合体され、注釈付きプレゼンテーションを生成する。もしプレゼンテーション１１０が異なる時間帯から放送されるなら、その注釈付けゾーンに於ける時間と記録ゾーンに於ける時間との間の時間差を予期して（account for）適切な調整が行われるであろう。
【００１８】
本発明の目的から、モバイル装置１２０は、ラップトップ・コンピュータ、携帯電話、ＰＤＡなど、容易に持ち運ぶことのできる任意の型の情報処理システムもしくは他のプログラム可能な電子装置を表す。モバイル装置１２０はネットワークの一部であってもよい。
【００１９】
モバイル装置１２０は、プロセッサ、メモリおよび入出力（Ｉ／Ｏ）サブシステムを含む多数のオペレータおよび周辺装置を含むこともできよう。このプロセッサはメモリから実行されるコンピュータ・プログラム命令の制御の下、汎用目的もしくは特定目的のマイクロプロセッサであってもよい。このプロセッサは、各サブプロセッサがコンピュータ・プログラム命令の特定の部分を実行する特定目的の多数のサブプロセッサであってもよい。各サブプロセッサは他のサブプロセッサとほぼ並行して動作することのできる別個の回路であってもよい。サブプロセッサの幾つかもしくは全ては夫々の機能が実行されるときそれを行うメモリ中に分かる形で格納されたコンピュータ・プログラム・プロセス（ソフトウエア）として導入されてもよい。これらは汎用の集積回路マイクロプロセッサなどの一つの命令プロセッサを共有してもよいし、または各サブプロセッサが命令を実行するためのそれ自身のプロセッサを有していてもよい。代わりに、サブプロセッサの幾つかもしくは全てがＡＳＩＣ中に導入されていてもよい。ＲＡＭが１個もしくはそれ以上のメモリ・チップに実装されていてもよい。メモリはパーティションされていてもよいが、そうでなければ種々のメモリ・サブコンポーネントの境界を反映するようにマッピング（写像）されていてもよい。
【００２０】
このメモリはランダム・アクセス・メモリもしくはマス・ストレージ（大容量記憶装置）のいずれかを代表する。それは揮発性であっても不揮発性であってもよい。モバイル装置１２０はハード・ディスク・ドライブなど、磁気媒体のマス・ストレージを含むこともできる。
【００２１】
Ｉ／Ｏサブシステムはディスプレイ、キーボード、マウスおよび音声認識スピーカーなどの種々の最終ユーザーのインターフェースを含んでいてもよい。Ｉ／Ｏサブシステムは更にローカル・エリア・ネットワーク（ＬＡＮ）もしくはインターネットなどの広域ネットワーク（ＷＡＮ）のようなネットワークに接続していてもよい。プロセッサおよびメモリ・コンポーネントは従来からあるバス・アーキテクチャを用いて物理的に相互接続されていてもよい。注釈を生成するためのアプリケーション・ソフトウエアはシステムの一部であってもよい。
【００２２】
図示し、また説明したものは、プログラム可能なコンピュータ装置の高度に簡略化した描写である。前述のような個々のエレメントおよびその配列に対し、本発明の範囲内にありながら、なお多くの代替例が可能であることは当業者も認めるところであろう。従って、本発明が完全に機能するデータ処理システムの内容で記述されてきたことに気付かれるのが重要であるが、本発明のプロセスが、命令のコンピュータ読み取り可能な媒体の形式でかつ多様な形式で頒布されることができ、またその頒布を実行するのに実際に使用される信号担持媒体の特定のタイプに関係なく本発明が等しく適用できることを当業者は認めるであろう。信号担持媒体の例は、ＲＯＭ、ＤＶＤ−ＲＯＭおよび伝送タイプの媒体、例えば高周波および光波の伝送などの伝送形式を用いたディジタルおよびアナログの通信リンク、有線もしくは無線の通信リンクを含む。信号担持媒体は特定のデータ処理システムで使用できるように解読されるコード化フォーマットをとるかもしれない。
【００２３】
方法ステップ
図２を参照すると、本発明の実施例に従って、モバイル装置１２０とともに注釈付きプレゼンテーションを生成する方法のフローチャートが示される。プレゼンテーション１１０に編集者（ユーザー）１０１が参加するための準備をするというステップ２１０でこのプロセスが開始する。そのプレゼンテーションは、以前述べたように、編集者１０１が聴衆の一員である場合の話し手（スピーカー）が行うライブのプレゼンテーション１１０で必ずしもなくてもよい。プレゼンテーションを準備するには種々の異なる形態をとることができよう。適当なソフトウエアをダウンロードするとか、ディスプレイ・スクリーンをクリアするとか、タイム・スタンプを同期させるなどである。代替例では、編集者１０１がプレゼンテーション１１０に全く参加しなくてもよい。代わりに、編集者１０１がプレゼンテーション１１０の写しを受取ってもよい。
【００２４】
次にステップ２２０で、ライブのプレゼンテーション１１０を見聞きするかプレゼンテーションのメディア記録１５５をダウンロードすることによって、編集者１０１がプレゼンテーションの一部を受取る。一実施例によれば、ステップ２３０では、プレゼンテーションが進行するにつれ、編集者１０１がモバイル装置１２０上で、プレゼンテーション１１０の各部分に属する注釈を付ける。これらのメモは、ディスプレイ・スクリーン上でスタイラス（ペン）を用いることによって直接に、あるいはワード処理能力を備えるファイル中にテキストをタイプすることによって為される。メモのための他の形態は、音声入力、お絵かき、ユーザーの位置データ、カメラ入力およびユーザーの近くの人々の識別子（ＩＤ）を含んでもよい。音声認識ソフトウエアが音声の注釈をテキストに変換するのに使用されてもよい。注釈を付ける能力は、編集者１０１の裁量で選んだツールによってのみ制限される。他の実施例では、編集者１０１が最初にプレゼンテーション１１０の写しを受取り、それからその記録されたプレゼンテーションを再生し、その受取った写しの上に直接、あるいはその受取った写しと調和して注釈を付ける。
【００２５】
ステップ２４０で、プレゼンテーション１１０終了後、何らかの時点で、編集者１０１がプレゼンテーションの写しを受取る。それから、ステップ２５０で、プレゼンテーションと調和して編集者が付けたメモがプレゼンテーションの写しと合体され、注釈付きの写しを生成する。このステップでは、モバイル装置１２０上のソフトウエアが注釈付きストリームをその記録されたプレゼンテーションとモバイル装置１２０上で合体する。代替実施例で、編集者１０１はモバイル装置１２０上でプレゼンテーション１１０の写しを受取らない。代替実施例で、ソフトウエアが注釈付きストリームを遠隔システムに転送し、そこでそれはその記録されたプレゼンテーションと合体される。
【００２６】
別の選択肢としてステップ２６０では、モバイル装置１２０のユーザーは注釈付けストリームに含まれる命令に従って動作してもよい。その動作は他のユーザーもしくは更なる注釈を付けるように注釈付けの写しに進むためであってもよい。
【００２７】
メディア・ストリーム
メディア・ストリーム１５５は、音声（オーディオ）記録のもっとも単純な形態からウエブキャストまで多くの形態を取り得る。図３を参照すると、図３でラップトップ・コンピュータとして示されるモバイル装置１２０が、放送されるプレゼンテーション３５０のメディア・ストリーム１５５を記録装置３３０から受取るようなイラストが示されている。メディア・ストリーム１５５はビデオ・カメラ、もしくはウエブキャスト、あるいはポッドキャストによって記録されたオーディオ／ビジュアルのプレゼンテーションであってもよい。
【００２８】
注釈付け
前に説明したように、注釈はキーボードもしくはスタイラス（ペン）を用いてテキストとして入力されることができる。あるいはモバイル装置１２０と協働して使用される注釈付けソフトウエア１２５がタッチもしくはクリックすることによって選択され得る注釈のリストを含む。幾つかの注釈付けツールが種々のメモのフォーマットをリストする注釈選択メニューを提供する。このリストはソフトウエアにより提供される注釈のユーザーの創るカスタマイズされたリストもしくは標準リスト、またはその両方の組み合わせで提供される。このセグメントにラベル付けするインターフェースは、「ついてゆけなかった」、「調査が必要」、「非常に面白い」、「信じられない」、「Ｘという人に転送する」などといった簡単なオプションの選択を含む。これらのオプションは、ドロップ・ダウン・メニュー、もしくは注釈メニュー・ツールバー中のアイコンとして提供されてもよい。「Ｘという人に転送」というオプションはモバイル装置１２０上でアドレス・ブックを呼び出し、そして１個もしくはそれ以上の名前を選択するように編集者１０１を促すように最適化されてもよい。動作を速くするために、直接レポートおよびＮレベルの上級マネジメントのような編集者のアドレス・ブックのサブセットが、完全なアドレス・ブックの代わりに提供されることができる。
【００２９】
編集者１０１はモバイル装置１２０上でテキスト入力、音声もしくは手書き入力とともにセグメントもしくはタイム・インスタンスに注釈付けしてもよい。ユーザーの位置、その部屋の他の人々、モバイル装置１２０により感知されるイベントなどの環境を感知する、モバイル装置１２０上の入力装置およびセンサーから他の注釈が加えられよう。このような注釈は注釈ストリームとして表されるであろう。プレゼンテーション後、モバイル装置１２０は編集者のホーム・パーソナル・コンピュータもしくは幾つかの他の装置にこれらの注釈をアップロードするのに使用することができる。
【００３０】
テキストの注釈は、小さな黄色のテキストの吹き出しとしてその関連するテキストの次に吹き出しが現れているＡｄｏｂｅ（商標）Ａｃｒｏｂａｔで使用されるコメントの吹き出しに於けるのと丁度同じように、コメント・ボックスもしくは吹き出しとして表示可能である。図７および図８を参照すると、そこにはコメントの吹き出しの例が示されている。図７では、モバイル装置１２０のディスプレイ・スクリーン上でクリックすることによって注釈付けするように編集者１０１が写しの一部を既に選択している。すると分離したコメントの吹き出し７１０が現れることになる。このボックス７１０の中に注釈をタイプすることができる。その注釈中のタイプ動作を編集者１０１がし終えると、コメントの吹き出し７１０はその最小化されたアイコン７１５上でクリックすることによって最小化されることができる。その吹き出しは図８のように現れることになる。代わりに、編集者１０１は短いメモもしくはコメントをモバイル装置１２０上で入れることができ、そしてもっと長い記述もしくはコメントをファイルの中に入れることができる。その短いメモはそのファイルへのハイパーリンクにされることもできる。音声の注釈が、その記録の長さを恐らくは含む特別の型のマーカーとしてテキストの写し上に表示されることができる。メディアの写しもしくは記録の上で、音声もしくはテキストの注釈の表示はその写しもしくは記録のために使用されるディジタル・メディアの型に高度に依存する。例えば、もし典型的なＭＰＥＧ−１オーディオ・レイヤ３（ＭＰ３）フォーマットが使用されるなら、ＭＰ３のプレイヤ・スクリーン上での再生時間に表示されるラベルとしてテキストの注釈を挿入することができる。著者名、重要性、日付、時刻、記録の長さと恐らくは一緒にその記録を含むファイルの名称として音声の注釈を表示することができる。
【００３１】
代替実施例では、音声の注釈をピーという音などの特別のサウンドとして示すことができ、そのメディア・プレイヤがある限られた時間の間、例えばそのピーという音の後３秒間、または次の注釈に遭遇するまでの期間、即ち次のピーという音が鳴らされるまでの期間、自動的に注釈にそのユーザーが切り替えるのを許容してもよい。
【００３２】
代わりに、テキストの写しのセクションをカラーでマークすることも可能である。例えば、編集者１０１が追従できなかった部分に対して赤色、フォローアップ必要な部分に対して黄色、そして転送する必要のある部分に対しては青色という具合である。多くの注釈ツールはこの目的のために電子的なハイライト手段を含む。すると、編集者１０１が各々マークされたセグメントに対し取る必要のある動作、例えば他の受け手にそれらを転送する動作を確認することができる。音声の記録もしくは写しの中に注釈を付けるためには、サウンドのレベルもしくはピッチを変えることもできよう。同様にビデオの注釈、アニメーションのセグメントもしくはシーンがそのカラー強度および明度を一時的に変えるものとして導入されることも可能である。
【００３３】
編集者１０１はもし必要であればその人のタイムのマーキングを編集し、それらを調整することができる。例えば、「このマーカーの１分前」という大まかな予測はもっと正確にすることができる。一つのシナリオでは、プレゼンテーション３５０の或る部分が重要であるがプレゼンテーションはその関心のある部分を越えて進行してしまったことを編集者１０１が理解してもよい。例えば、編集者１０１が特定の聴衆の質問、その話し手の回答に注釈を付けたいが、そのやり取りはその質問を聞いた後でのみ重要であることを編集者１０１が理解するかもしれない。従って、現在の時刻より或る特定の秒数その注釈が始まるのを編集者１０１が特定することができなければならない。これは、例えば３秒など或る特定の時間だけ、その記録されたプレゼンテーションもしくは写しの中で戻す手段をユーザーに与えることによって達成されることが可能である。
【００３４】
同期
マーキングもしくは注釈付けが行われる間、プレゼンテーション３５０の実際の記録もしくは写しが利用できないかもしれない。そのマーキングおよび注釈を、時間的に後で受取る写しもしくは記録と合わせるために、タイム・スタンプが使用される。ライブ（生）のもしくは記録済みのプレゼンテーションを表すメディア・ストリーム１５５はそれと関連するタイム・スタンプを持つことになる。プレゼンテーションの写しも、テキスト形式であるときでさえ、相対的なタイム・スタンプを同様に持つ。編集者１０１はその相対的なタイム・スタンプを無視して、恐らくは壁掛け時計３９０と同期された異なる開始時刻を使用してもよい。
【００３５】
実際の記録もしくは写しは編集者１０１がそれを受取る前に編集されてもよいような場合が起こり得る。例えばその記録が発行される前に重要でない部分を取り除く場合あるいはそのプレゼンテーションの時間を短縮する場合である。例えば、スピーチに続くＱ＆Ａ（質疑応答）を写しから削除してもよいかもしれない。もしメディア・ストリーム１５５が編集されるなら、おの編集された部分の前および後のセグメントにはタイム・スタンプが適宜ラベル付けされる。これはプレゼンタ（スピーチをする人）、イベントのモデレータ、会合のホスト、セッションの議長、プレゼンテーションを編集するプロフェッショナルの責任編集者などによって行われる。記録装置３３０が使用する時間基準および編集者のモバイル装置１２０は、モバイル装置１２０に関連するタイム・スタンプおよびその上に作成される注釈がその記録の正確な部分にマッチ（符合）するように同期される。
【００３６】
編集者１０１がその写しを受取る前に削除されたプレゼンテーションの部分に編集者１０１が注釈を付ける場合、その注釈は（黙ってもしくはそうでなく）削除されもしくはテキスト中に含まれて、存在しない／削除されたコンテンツに言及するものとしてマークされてもよい。その注釈が現在のコンテンツに緊密に結合されているとき、その注釈が保存される必要があるかもしれない（他の個人にその部分を送るようなリマインダなど）。この場合、その注釈用のタイム・スタンプはその写しのタイム・スタンプにもちろん符合しないであろう。何故ならその写しの部分が除去されたからである。代わりに、他の識別子が使用されるべきである。タイム・スタンプだけはその記録済みのメディア・ストリーム１５５を識別するには十分でない。例えば、ある会議に多くの並行するセッションがあり、全てが同じ時間範囲に跨るタイム・スタンプを有するかもしれない。どのメディア・ストリーム１５５にその注釈が属するかを見出すのにタイム・スタンプが適切であるとは人は単純に云えない。注釈ストリームは、そのメディア・ストリームに直接に注釈が付けられない限り、ある種のＩＤをそれが参照するプレゼンテーションのために常に含むべきである。
【００３７】
記録装置３３０およびモバイル装置１２０はそれらのクロックを周知の世界的なクロック源に同期させてもよい。１秒もしくはその十分の一よりも少ない誤差は許容できる。一旦同期されると、モバイル装置１２０はその開始および停止時刻と編集者の注釈とを記録するだけである。内部クロックを実際に修正する代わりに、モバイル装置１２０はその内部クロックと世界的なクロック源との間の時間のずれを計算することができ、タイム・マーカーを生成するのに相応しいようにそのずれが調整させられる内部クロックを使用することができる。その場所のクロックおよびモバイル装置１２０が一旦同期されると、編集者１０１はその話のセクションをマークするのに、その人のモバイル装置１２０上の簡単なインターフェースを使用することができる。
【００３８】
編集者１０１は、このマークした時点からこのマークした時点の１分前の時点まで現在のセクションのための適当な期間を先ず選択することができる。そこで編集者１０１はそのマークしたセグメントに動作または注釈を割当てるかもしれない。
【００３９】
本発明の一実施例では、編集者１０１が記録中のプレゼンテーション３５０に参加するとき、その人のモバイル装置１２０には記録もしくは写しがダウンロードのために利用できるようになる場所を示すＵＲＬ（ユニフォーム・リソース・ロケータ）が備えられる。このモバイル装置１２０は複数の並行するプレゼンテーション相互間を明確にするために編集者１０１により生成されるマーキングおよび注釈とこのＵＲＬが関連付ける。もっと一般的な場合のＵＲＬもしくはプレゼンテーションＩＤが、全てのスライドのうちの一番目のスライド／ヘッダーもしくはフッター上に話し言葉でもしくは視覚的に表示されるプレゼンテーションの一部とされるべきである。編集者１０１がモバイル装置１２０上で注釈を生成するとき、編集者１０１がその注釈を特定することができるようにする。その注釈はそのプレゼンテーションがスタートした後に各部分を編集者１０１が注釈を付けることができるようにするために過去のある時間だけ先に開始したライブのプレゼンテーションに言及する注釈である。リニアなタイム・スケールがグラフィカルに提供されてもよく、編集者１０１が最後の数秒もしくは数分あるいは他の期間を選択してもよい。他の方法はある期間を示すのにボタンをクリックするだけというのも含むことができよう。そのボタンの反復的に押すと、編集者１０１が望む時間までその合計時間を積み上げる。編集者１０１がテキスト入力もしくはスタイラスでもってこのことを単に示すだけでもよい。
【００４０】
メディア転送
プレゼンテーション１１０の写しが編集者１０１に転送され得る多くの異なる方法がある。編集者１０１は写しをダウンロードすることができてもよい。一つの方法は、前にも説明したように、写しが利用できることになるようなＵＲＬをモバイル装置１２０に提供することである。ＵＲＬはプレゼンテーションが行われる場所で放送されてもよい。代わりに、ＲＦＩＤタグがその場所の各ドアに取り付けられてもよい。もしＲＦＩＤタグが使用されるなら、そのタグによりポイントされるＵＲＬはその写しが利用できるようになるＵＲＬを含むであろう。もしモバイル装置１２０がＲＦＩＤリーダー４３０を含むなら、それは各この通信を読み取ることができる。実際のＵＲＬは各々の話を変え続けるであろう。ビルの中の会議室のような各々の場所は、イベントのカレンダに基づきＵＲＬのコンテンツは変化するが、固定したＵＲＬを有することもできよう。このモデルでは、編集者１０１がＵＲＬから写しを積極的にダウンロードしなければならない。
【００４１】
代わりに、編集者１０１は、その編集者のモバイル装置１２０に取り付けられたＲＦＩＤタグ４１０中にコード化された電子メール・アドレスすなわちＥメール・アドレスを捕捉することができる場所でその人のモバイル装置１２０をＲＦＩＤリーダー４３０で走査することができる。編集者１０１はこの動作によって、その写しのコピーがその人のところに自動的にＥメールされるべきであることを示す。また、リアルタイム（クローズドキャプション技法などを用いて）で発生される写しへの参照／ハイパーリンクもしくはライブのプレゼンテーション・ストリームモバイル装置１２０に直ちに送られ、モバイル装置１２０上で生成される注釈が、連続的にダウンロードされる写しの上にまたはローカルに格納されるライブのプレゼンテーションの記録上に直接に作られることができる。その場所は、編集者の時間のマーキングが写しのストリーム３１０に正しく位置づけられ得るように、ユーザーのモバイル装置１２０上のクロックでもってその場所により使用されるクロックを同期させる方法を提供する。その場所でのクロックの時間は、短い範囲の無線放送標識（ビーコン）と通信することができる。
【００４２】
図４を参照すると、ＲＦＩＤタグ４１０がＲＦＩＤリーダー（読み取り器）４３０の範囲内に添付されたモバイル装置１２０が図解されている。ここでタグおよびリーダーの位置が以前の例とは反対である。ここではモバイル装置１２０が携帯電話のフォーム・ファクタ（形状比）で示されている。ＲＦＩＤタグ４１０は、テープを用いるモバイル装置１２０に簡単に取り付けることができる。ＲＦＩＤタグ４１０は周知である。従ってタグがどのように動作するかの説明は必要ない。ＮＦＣ（近距離無線通信規格）と呼ばれる新しい技術が携帯電話のようなモバイル装置が短い範囲内でタグを読み取ることができるタグ・リーダーを含むのを可能にする。このシナリオでは、人がリーダーの前でバッジを振るのと同様に編集者１０１がタグの上方で携帯電話を振るだけであるが、この場合タグおよびリーダーの位置は逆である。
【００４３】
合体
図６を参照すると、プレゼンテーション６１０の一部を注釈６２０と合体して注釈付けプレゼンテーション６５０を生成することの簡単な説明を示す。
【００４４】
本発明の実施例によれば、注釈付けストリームをプレゼンテーションの写しと合体させるためのアプリケーションは注釈付けフォーマットと、その写しがあるいかなるメディアのフォーマットとの両方のフォーマットを取り扱うことができなければならない。そのアプリケーションを生成するために使用されるアプリケーション・ツールはそれらのタイム・スタンプに基づいて２つのメディアを合体するようにここに述べた方法に従って修正されてもよい。
【００４５】
後の時点で、記録済みのストリームが編集され利用できるようになると、その編集されたストリーム（記録済みのプレゼンテーションもしくはその写しとこれまで呼ばれていたもの）はパーソナル・コンピュータ（ＰＣ）にダウンロードされることができ、注釈付けシーケンス（手順）６２０がメディア・ストリーム１５５と合体されて、注釈付きストリーム６５０を生成する。この２つのストリームの合体はその２つのストリームのために使用されるフォーマットに依存するが、それは典型的にはその２つのストリームからのテキスト、サウンドおよびビデオのフレームをそのタイム・スタンプの順序で混合することを含む。
【００４６】
ここで、モバイル装置もしくはＰＣが注釈を処理することができる。例えば、選択された受け手にＥメールされるべきセグメントをその注釈が示すなら、その合体するプログラムはローカルのＥメール・クライアントを適切なコマンドで以って呼び出す。もし必要であれば、編集者１０１がマーキングとその写しのビュワーとの同期を手動で調整することができる。オーディオの注釈はまた、音声からテキストへのソフトウエアを用いてテキストに変換されよう。従って、編集者１０１はオーディオを聴く際に必要とされる遅いシリアル・プロセスの代わりに、その注釈を付けられた写しを迅速に見ることができる。
【００４７】
２つのストリームを合体する異なる方法がある。位置実施例では注釈付けストリーム６２０が記録済み写し６１０の上に重ね書きされる。この実施例ではプレゼンテーションとともに注釈が表示されることができる２・３の方法がある。一つの方法は図６に示すように「サブタイトル（副題）」として注釈が現れるようにするかまたは注釈が図５に示すようにプレゼンテーションの上に直接現れるようにすることができる。以前にも説明したように、コメントの吹き出しを使用することができる。最小化した吹き出し７３０上でクリックすると、それをポップアップさせるようにしてテキストの読み取りが可能となる。ビデオ・ストリームへの注釈を可視化する方法は既に説明した。
【００４８】
従って、好適な実施例と今日考えられるものを説明してきたが、本発明の趣旨の範囲内で他の変形もなし得ることを当業者は理解できよう。実施例についての以上の記述は全てを網羅するものでなく、またその範囲を制限する意図もない。前述の実施例は本発明の原理を説明するために選ばれたものであり、その現実的な例を示し、また発明をどのようにして為し、どのように利用するかを当業者が理解することができるように選ばれたものである。本発明が前述の実施例に限定されないが、むしろ特許請求の範囲の各請求項が最大限意味するところおよび範囲内で解釈されるべきことを理解されたい。
【図面の簡単な説明】
【００４９】
【図１】本発明の実施例に従って動作する情報処理システムを示す高レベルのブロック図である。
【図２】本発明の実施例に従うモバイル装置でもって写しに注釈を付ける方法のフローチャートである。
【図３】本発明の実施例に従って本発明のメディア・ストリームを受取るモバイル装置の単純化した説明図である。
【図４】本発明の実施例に従って、ＲＦＩＤタグを付けたモバイル装置の単純化した説明図である。
【図５】本発明の実施例に従う注釈付きの写しの一例を示す図である。
【図６】本発明の実施例に従って、メディア・ストリームと注釈付きストリームとを合体させる実施例を示す図である。
【図７】本発明の実施例とともに有利に使用することができる、分解されたコメントの吹き出しを示す説明図である。
【図８】本発明の実施例でもって有利に使用することができる最小化した吹き出しのコメントの説明図である。
【符号の説明】
【００５０】
１００  プレゼンテーション・シナリオ
１０１  編集者（ユーザー）
１１０  プレゼンテーション
１２０  モバイル装置
１２５  注釈付けソフトウエア
１５５  メディア・ストリーム
１６０  環境ディスプレイ
３３０  記録装置
４１０  ＲＦＩＤタグ
４３０  ＲＦＩＤリーダー
【図１】
2008282397.tif 000003
【図２】
2008282397.tif 000004
【図３】
2008282397.tif 000005
【図４】
2008282397.tif 000006
【図５】
2008282397.tif 000007
【図６】
2008282397.tif 000008
【図７】
2008282397.tif 000009
【図８】
2008282397.tif 000010